(57)【要約】【課題】比較的高いレベルに、且つ便鉢から後方へ離隔した位置に物品を載置することができる便蓋と、この便蓋を備えた便器を提供する。【解決手段】便蓋４は、起立状態において下半側を占める下部５と、起立状態において上方側となる上部６との２体よりなり、該下部５と上部６とはヒンジ７によって回動可能に連結されている。上部６には、ヒンジ７の近傍に、左右方向に延在した、物品落下防止用の壁状部８が設けられている。便蓋４を起立させ、便蓋４が鉛直よりも後傾した状態となると、上部６が自重によって後方へ回動して略水平となる。この上部６の上面に物品を置くことができる。【選択図】図１
2009066292.tif 000002
【特許請求の範囲】
【請求項１】
便器に対し起倒回動可能に取り付けられる便蓋において、
起立時に上部が後方へ回動して略水平姿勢をとり、その上に物品を裁置しうるよう構成されていることを特徴とする便蓋。
【請求項２】
請求項１において、前記上部が便蓋の下部側に対しヒンジによって回動可能に連結されており、
該ヒンジに、該上部の回動を減速するための機構が設けられていることを特徴とする便蓋。
【請求項３】
請求項１又は２において、略水平姿勢をとった前記上部から便鉢側へ物品が落下することを防止するための壁状部が該上部に設けられていることを特徴とする便蓋。
【請求項４】
請求項１ないし３のいずれか１項に記載の便蓋を備えた便器。
【発明の詳細な説明】
【技術分野】
【０００１】
本発明は便蓋に係り、特に起立させたときに物品を載置することができるよう構成された便蓋に関する。また、本発明は、この便蓋を備えた便器（洋風便器）に関する。
【背景技術】
【０００２】
デパートなど公共的なトイレを使用する場合、買物袋、ハンドバッグ、財布などの物品を携帯してトイレブース内に入ることが多い。
【０００３】
便器使用に際し、かかる物品を便器（洋風便器）の後部上面に載せることがあるが、起立させた便蓋の陰になるため、置き忘れてしまい易い。
【０００４】
特開２００３−９３２７５には、便器後部上面の衛生洗浄装置の箱状ケーシングの上面に物品収納部を設けることが記載されている。
【特許文献１】特開２００３−９３２７５
【発明の開示】
【発明が解決しようとする課題】
【０００５】
上記特開２００３−９３２７５の物品収納部は、その設置レベルが比較的低いため、便器を男子小用に用いた場合に飛沫がかかりやすい。
【０００６】
本発明は、比較的高いレベルに、且つ便鉢から後方へ離隔した位置に物品を載置することができる便蓋と、この便蓋を備えた便器を提供することを目的とする。
【課題を解決するための手段】
【０００７】
請求項１の便蓋は、便器に対し起倒回動可能に取り付けられる便蓋において、起立時に上部が後方へ回動して略水平姿勢をとり、その上に物品を裁置しうるよう構成されていることを特徴とするものである。
【０００８】
請求項２の便蓋は、請求項１において、前記上部が便蓋の下部側に対しヒンジによって回動可能に連結されており、該ヒンジに、該上部の回動を減速するための機構が設けられていることを特徴とするものである。
【０００９】
請求項３の便蓋は、請求項１又は２において、略水平姿勢をとった前記上部から便鉢側へ物品が落下することを防止するための壁状部が該上部の該下部側に設けられていることを特徴とするものである。
【００１０】
請求項４の便器は、請求項１ないし３のいずれか１項に記載の便蓋を備えたものである。
【発明の効果】
【００１１】
本発明の便蓋及び便器にあっては、便蓋を起立させると、便蓋上部が後方へ回動して略水平となるので、この便蓋上部の上面に物品を載置することができる。この物品載置面は、特開２００３−９３２７５の収納部に比べ高位であり、且つ後方である。そのため、便器を男子小用に使用した際の飛沫などが該載置面にかかることがない。
【００１２】
なお、この便蓋上部を回動可能に支持するヒンジに減速機構を組み込むことにより、便蓋上部が急激に回動して衝撃音が発生することを防止することができる。
【００１３】
また、この便蓋上部に載置した物品が便鉢側へ落下することを防止するための壁状部を設けることが好ましい。
【発明を実施するための最良の形態】
【００１４】
以下、図面を参照して実施の形態について説明する。第１図は実施の形態に係る便蓋を備えた便器の斜視図、第２図は第１図のII−II線断面図である。
【００１５】
便器（洋風便器）１の後部上面に便座ボックス２が設置され、この便座ボックス２に対し便座３及び便蓋４が起倒方向回動可能に取り付けられている。便座３及び便蓋４は、便器１の便鉢１ａ側へ倒伏した状態と、鉛直よりも後傾姿勢となるように起立した状態とをとりうるように起倒方向回動可能となっている。なお、この回動は手動で行われてもよく、モータ等によって行われてもよい。
【００１６】
この便蓋４は、起立状態において下半側を占める下部５と、起立状態において上方側となる上部６との２体よりなり、該下部５と上部６とはヒンジ７によって回動可能に連結されている。
【００１７】
このヒンジ７は、便蓋４が便座３と共に便器１上に倒伏した状態（第１図（ａ））において便座３の中央孔３ａに入り込む位置に設けられている。
【００１８】
また、ヒンジ７は、便蓋４を起立させたときに上部６が略水平となった姿勢で停止するように回動範囲を規制するよう構成されている。
【００１９】
このヒンジ７には、上部６が急激に回動することを防止するための減速機構が組み込まれている。この減速機構としては、摩擦減速機構やオイルダンパなど公知のヒンジ用減速機構を用いることができる。
【００２０】
下部５の左右両サイドと、上部６の外周縁とには、便蓋４が便座３上に倒伏した状態において便座３の外周縁に沿って垂下する垂下壁５ａ，６ａが立設されている。
【００２１】
上部６には、ヒンジ７の近傍に、左右方向に延在した、物品落下防止用の壁状部８が設けられている。この壁状部８は、便蓋４が便座３と共に便器１上に倒伏した状態（第１図（ａ））において便座３の中央孔３ａに入り込む位置に設けられている。
【００２２】
このように構成された便蓋４付き便器１において、便蓋４を起立させ、便蓋４が鉛直よりも後傾した状態となると、上部６が自重によって後方へ回動し、第１図（ｂ）及び第２図の通り略水平となる。このため、この上部６の上面に物品を置くことができる。
【００２３】
この物品載置面は、便座ボックス２よりも十分に高位であり、しかも後方へ張り出したものとなるので、男子小用使用時の飛沫などがかかることはない。
【００２４】
また、この載置面は便蓋４の陰にならず、便器使用者から丸見えとなるため、物品を置き忘れることがない。
【００２５】
この実施の形態では、上部６に壁状部８が設けられているので、上部６上においた物品が便鉢１ａ側へ落下することが防止される。また、この実施の形態では、第１図（ｂ）の状態において上部６の外周縁から垂下壁６ａが上向きに立設された状態となるので、物品が上部６から側方や後方へ落下することも防止される。
【００２６】
なお、壁状部８は、便座３の上面に当たらない程度の高さにて、第１図（ｂ）の壁状部８よりも左右に長く延設されてもよい。
【００２７】
また、第１図（ｂ）及び第２図の状態において、上部６が後方へ若干下り勾配となるよう構成し、物品が便鉢側へ落下しにくくなるようにしてもよい。
【００２８】
便蓋４を前方へ回動させると、上部６は鉛直よりも前傾状態となった時点以降、ヒンジ７回りに回動して第１図（ａ）の倒伏姿勢をとるようになる。
【００２９】
便蓋４の倒伏方向への回動を手動で行うよう構成した場合、手又は指を便蓋４に掛け易くするために、第３図の如く上部６の側面から側方へ把手９を突設してもよい。
【００３０】
上記実施の形態では、便蓋４を起立させると上部６の全体が後方へ回動するよう構成しているが、第４図の便蓋４Ａのように、起立させたときに垂下壁６ａよりも内側の便蓋上部６Ａのみが後方へ回動するようにしてもよい。垂下壁６ａは下部５の垂下壁５ａと一連一体となっている。この場合も、アーチ状となった垂下壁６ａを通して便器前方から便蓋上部６Ａの物品が見えるので、物品を置き忘れることが防止される。第４図のその他の構成は第１，２図の便蓋６と同一であり、同一符号は同一部分を示している。
【００３１】
本発明において、上部６，６Ａの前後寸法は１００〜３００ｍｍ程度であることが好ましい。
【００３２】
上記実施の形態は本発明の一例であり、本発明は図示以外の態様をもとりうる。例えば、第２図〜第４図の如く後方へ張り出した上部６，６Ａを支えるように、支持部材（図示略）を便蓋や便器に設けてもよい。
【図面の簡単な説明】
【００３３】
【図１】実施の形態に係る便蓋を備えた便器の斜視図である。
【図２】図１のII−II線断面図である。
【図３】別の実施の形態に係る便蓋の斜視図である。
【図４】さらに別の実施の形態に係る便蓋の斜視図である。
【符号の説明】
【００３４】
１  便器
３  便座
４，４Ａ  便蓋
５  下部
６，６Ａ  上部
７  ヒンジ
８  壁状部
９  把手
【図１】
2009066292.tif 000003
【図２】
2009066292.tif 000004
【図３】
2009066292.tif 000005
【図４】
2009066292.tif 000006